(57)【特許請求の範囲】
【請求項１】
Ｗ／Ｏマイクロエマルション型洗浄剤の管理方法であって、
使用中の前記Ｗ／Ｏマイクロエマルション型洗浄剤の導電率を測定し、得られた導電率に基づき、下記式（１）
Ｒ＝［使用中のＷ／Ｏマイクロエマルション型洗浄剤の２５℃における導電率］÷［未使用のＷ／Ｏマイクロエマルション型洗浄剤の２５℃における導電率］・・・式（１）
により相対導電率Ｒを算出し、算出した前記相対導電率Ｒが０．３０以上で洗浄を行うことを特徴とするＷ／Ｏマイクロエマルション型洗浄剤の管理方法。
【請求項２】
前記Ｗ／Ｏマイクロエマルション型洗浄剤は、水、溶剤および界面活性剤から主としてなる洗浄剤であることを特徴とする請求項１に記載のＷ／Ｏマイクロエマルション型洗浄剤の管理方法。
【請求項３】
前記溶剤の２５℃における導電率は０．００１μＳ／ｃｍ未満であることを特徴とする請求項２に記載のＷ／Ｏマイクロエマルション型洗浄剤の管理方法。
【請求項４】
前記Ｗ／Ｏマイクロエマルション型洗浄剤で洗浄する汚れ成分は、非水溶性および／または水溶性の加工油であることを特徴とする請求項１〜３のいずれか一つに記載のＷ／Ｏマイクロエマルション型洗浄剤の管理方法。
【請求項５】
Ｗ／Ｏマイクロエマルション型洗浄剤の管理装置であって、
使用中の前記Ｗ／Ｏマイクロエマルション型洗浄剤の導電率を測定する導電率測定部と、
未使用の前記Ｗ／Ｏマイクロエマルション型洗浄剤の導電率を記憶し、前記導電率測定部が測定した導電率を使用し、下記式（１）に基づき相対導電率Ｒを算出する算出部と、
Ｒ＝［使用中のＷ／Ｏマイクロエマルション型洗浄剤の２５℃における導電率］÷［未使用のＷ／Ｏマイクロエマルション型洗浄剤の２５℃における導電率］・・・式（１）
前記算出部が算出した相対導電率Ｒが０．３０未満であるか否かを判定する判定部と、
前記判定部により前記相対導電率が０．３０未満であると判定された場合、前記Ｗ／Ｏマイクロエマルション型洗浄剤を補充、または交換する旨出力する出力部と、
を備えることを特徴とするＷ／Ｏマイクロエマルション型洗浄剤の管理装置。
【発明の詳細な説明】
【技術分野】
【０００１】
本発明は、Ｗ／Ｏマイクロエマルション型洗浄剤の洗浄方法に関し、特に、自動車、機械、精密機器、電気、電子、光学等の各種工業分野において扱われる部品に付着した、極性の低い汚れと極性の高い汚れが複合した汚れを洗浄して除去することができるＷ／Ｏマイクロエマルション型洗浄剤の管理方法に関する。
【背景技術】
【０００２】
自動車、機械、精密機器、電気、電子、光学等の各種工業分野において扱われる部品（以下、「部品」という）は、その加工の際に、（ｉ）鉱物油等を主体とする非水溶性加工油、鉱物油等に界面活性剤を加えて水に乳化させた水溶性加工油等、極性の低いものから極性の高いものまで様々な加工油、（ｉｉ）微粒子などが使用される。特に、切削や研削加工などを中心に水溶性加工油が多く使用されており、また、複数の加工工程を経て製造される部品には、工程毎に使用される加工油も異なるため、極性の低いものから極性の高いものまで様々な汚れが複合して付着する場合が多い。
【０００３】
このような極性の低いものから極性の高いものまで様々な汚れが複合して付着した部品を洗浄する用途に、水と溶剤と界面活性剤から成る洗浄剤が開発されている（例えば、特許文献１及び２）。
【０００４】
特許文献２に記載されるＷ／Ｏマイクロエマルション型洗浄剤において、水と界面活性剤は１〜１００ｎｍ程度の平均粒径の逆ミセルを形成して溶剤中に分散し（以下、「可溶化」という）、全体として透明な液体状を成しており、長期間放置しても層分離することがない熱力学的に安定な系（以下、「マイクロエマルション」という）となっている。
【０００５】
特許文献２に記載されるＷ／Ｏマイクロエマルション型洗浄剤において、極性の低い汚れは溶剤に溶解し、極性の高い汚れは逆ミセルを形成している水に溶解すると考えられる。Ｗ／Ｏマイクロエマルション型洗浄剤に汚れが蓄積されるに連れて、逆ミセルは大粒径化して白濁し（以下、「乳化」という）、終には逆ミセルを形成していた水は沈降して層分離する。Ｗ／Ｏマイクロエマルション型洗浄剤中の水が乳化、または分離したＷ／Ｏマイクロエマルション型洗浄剤は、持ち込まれる汚れを可溶化することができず、洗浄不良を引き起こすおそれがある。したがって、Ｗ／Ｏマイクロエマルション型洗浄剤の初期の洗浄力を維持するためには、逆ミセル、すなわち、可溶化されている水の状態を監視することが重要である。
【０００６】
上記用途に使用される洗浄剤には引火を防止する観点から水が添加されるものが多く、これらの洗浄剤は、使用に伴い水分が少なくなると引火の危険性が高くなり、水分が高くなると洗浄性能が低下する。したがって、持ち込まれる汚れ成分を管理するとともに水分量を管理する方法がいくつか提案されている（例えば、特許文献３〜１０）。
【０００７】
例えば、特許文献４および５では、静電容量センサーを用いて油中の水分量を測定する方法が提案されているが、洗浄剤中の水の状態、すなわち洗浄剤中に水が可溶化されているか否かにより洗浄性能を判定し、洗浄剤を管理する方法は見当たらない。
【先行技術文献】
【特許文献】
【０００８】
【特許文献１】特開平６−３４６０９４号公報
【特許文献２】特開２０１３−１１７００８号公報
【特許文献３】特開２０００−５１５７７号公報
【特許文献４】特開平８−１３６４９２号公報
【特許文献５】特開２０１２−１４５４３８号公報
【特許文献６】特開平７−２８０７２８号公報
【特許文献７】特開平７−２４８２９９号公報
【特許文献８】特開平５−４５２８０号公報
【特許文献９】特開平７−１５１６７６号公報
【特許文献１０】特開平７−１４７２６５号公報
【発明の概要】
【発明が解決しようとする課題】
【０００９】
本発明は、上記に鑑みてなされたものであって、簡易かつ正確にＷ／Ｏマイクロエマルション型洗浄剤の洗浄性能を確認することにより、Ｗ／Ｏマイクロエマルション型洗浄剤を管理する方法および管理装置を提供することを目的とする。
【課題を解決するための手段】
【００１０】
上記課題を解決するために、本発明者らは鋭意研究を行った結果、Ｗ／Ｏマイクロエマルション型洗浄剤の導電率を測定することによって、洗浄剤中に多種多様な汚れ物質が持ち込まれた場合においても、Ｗ／Ｏマイクロエマルション型洗浄剤中に水が可溶化されているか否か、すなわち初期の洗浄性能を有するか否かを判断して、Ｗ／Ｏマイクロエマルション型洗浄剤を管理しうることを見出し、本発明を完成させるに至った。
【００１１】
即ち、本発明は、Ｗ／Ｏマイクロエマルション型洗浄剤の管理方法であって、使用中の前記Ｗ／Ｏマイクロエマルション型洗浄剤の導電率を測定し、得られた導電率に基づき、下記式（１）
Ｒ＝［使用中のＷ／Ｏマイクロエマルション型洗浄剤の２５℃における導電率］÷［未使用のＷ／Ｏマイクロエマルション型洗浄剤の２５℃における導電率］・・・式（１）
により相対導電率Ｒを算出し、算出した前記相対導電率が０．３０以上で洗浄を行うことを特徴とする。
【００１２】
また、本発明は、Ｗ／Ｏマイクロエマルション型洗浄剤の管理装置であって、使用中の前記Ｗ／Ｏマイクロエマルション型洗浄剤の導電率を測定する導電率測定部と、未使用の前記Ｗ／Ｏマイクロエマルション型洗浄剤の導電率を記憶し、前記導電率測定部が測定した導電率を使用し、下記式（１）に基づき相対導電率Ｒを算出する算出部と、
Ｒ＝［使用中のＷ／Ｏマイクロエマルション型洗浄剤の２５℃における導電率］÷［未使用のＷ／Ｏマイクロエマルション型洗浄剤の２５℃における導電率］・・・式（１）
前記算出部が算出した相対導電率Ｒが０．３０未満であるか否かを判定する判定部と、前記判定部により相対導電率が０．３０未満であると判定された場合、前記Ｗ／Ｏマイクロエマルション型洗浄剤を補充、または交換する旨出力する出力部と、を備えることを特徴とする。
【発明の効果】
【００１３】
本発明は、Ｗ／Ｏマイクロエマルション型洗浄剤中に持ち込まれる汚れ成分の如何に関わらず、Ｗ／Ｏマイクロエマルション型洗浄剤の導電率を測定することにより、Ｗ／Ｏマイクロエマルション型洗浄剤に水が可溶化されているか否かを判定して、Ｗ／Ｏマイクロエマルション型洗浄剤の洗浄性能を管理できるという効果を奏する。
【図面の簡単な説明】
【００１４】
【図１】図１は、Ｗ／Ｏマイクロエマルション型洗浄剤中のソリューション型水溶性切削油濃度と導電率の関係を示す図である。
【図２】図２は、本実施の形態にかかるＷ／Ｏマイクロエマルション型洗浄剤の管理装置のブロック図である。
【発明を実施するための形態】
【００１５】
従来、水を含む洗浄剤の性能管理の方法として、静電容量、比重、または赤外線吸光度等により洗浄剤中の水分量を測定するとともに、濁度、比重、赤外線吸光度により汚れ成分の量を測定しているが、洗浄剤、特にＷ／Ｏマイクロエマルション型洗浄剤中の水の状態、すなわち、水が可溶化されているか、否かにより洗浄性能を判定する方法については何ら検討されていなかった。
【００１６】
本発明者らは、Ｗ／Ｏマイクロエマルション型洗浄剤中の水の状態を判定するに当たり、逆ミセルの状態と導電率の関係に着目した。鋭意研究した結果、Ｗ／Ｏマイクロエマルション型洗浄剤中への汚れ成分の持ち込み量と導電率の関係は汚れ成分の種類により異なるものの、Ｗ／Ｏマイクロエマルション型洗浄剤中に可溶化している水が、各種汚れ成分の持ち込みにより、乳化し、そして、層分離して、洗浄性能が低下する過程を導電率で簡易に追跡できることを見出した。
【００１７】
Ｗ／Ｏマイクロエマルション型洗浄剤に汚れが持ち込まれた際の汚れ成分の持ち込み量と導電率の関係について、Ｗ／Ｏマイクロエマルション型洗浄剤として“ＮＳクリーン”（登録商標）１００Ｍ（ＪＸ日鉱日石エネルギー（株）製）、汚れ成分としてソリューション型水溶性切削油であるユニソルブルＣＳ（ＪＸ日鉱日石エネルギー（株）製）を使用した場合について図１を使用して説明する。図１は、Ｗ／Ｏマイクロエマルション型洗浄剤中のソリューション型水溶性切削油濃度と導電率の関係を示す図である。図１の導電率は、Ｗ／Ｏマイクロエマルション型洗浄剤に汚れ成分を所定量添加し、手で容器を振り混ぜて３０秒間静置後の上層の２５℃における導電率であり、ハンディ導電率計ＨＥＣ−１１０型（東亜化学計測（株）製）にて測定した。図１に示すように、Ｗ／Ｏマイクロエマルション型洗浄剤中へのソリューション型水溶性切削油の添加濃度が増えるに連れて、水が可溶化されている透明な状態から不透明な乳化状態へ移行するとともに導電率が急上昇し、更にソリューション型水溶性切削油の添加濃度が増加すると導電率が急降下して水が層分離する。一方、鉱物油を主体とする非水溶性加工油やエマルション型水溶性切削油は、ソリューション型水溶性切削油とは異なり、Ｗ／Ｏマイクロエマルション型洗浄剤への添加濃度が増えるにつれて、導電率は徐々に低下する。
【００１８】
汚れ成分の持ち込み量と導電率の関係は汚れ成分の種類により異なるため、導電率から混合した汚れ成分の混入量を評価することは難しい。しかしながら、Ｗ／Ｏマイクロエマルション型洗浄剤の洗浄性能は、持ち込まれた汚れ成分の混入量より、洗浄剤中の水の状態、すなわち水が可溶化されているか否かに影響される。本願発明は、汚れや水の混入量ではなく、水が可溶化されているか否かを導電率により判定して、Ｗ／Ｏマイクロエマルション型洗浄剤の洗浄性能を管理するものである。本願発明によれば、汚れ成分の種類を問わず、Ｗ／Ｏマイクロエマルション型洗浄剤中に水が可溶化されているか否かを判断し、Ｗ／Ｏマイクロエマルション型洗浄剤を管理することが可能となる。
【００１９】
以下に、本発明の実施の形態にかかるＷ／Ｏマイクロエマルション型洗浄剤の管理方法について詳細に説明する。
【００２０】
本発明の実施の形態にかかるＷ／Ｏマイクロエマルション型洗浄剤の管理方法は、使用中のＷ／Ｏマイクロエマルション型洗浄剤の導電率を測定し、得られた導電率に基づき、下記式（１）
Ｒ＝［使用中のＷ／Ｏマイクロエマルション型洗浄剤の２５℃における導電率］÷［未使用のＷ／Ｏマイクロエマルション型洗浄剤の２５℃における導電率］・・・式（１）
により相対導電率Ｒを算出し、Ｗ／Ｏマイクロエマルション型洗浄剤の相対導電率Ｒが０．３０以上で洗浄を行うことを特徴とする。
【００２１】
本発明の実施の形態において、Ｗ／Ｏマイクロエマルション型洗浄剤は、水、溶剤および界面活性剤から主としてなる洗浄剤であることが好ましい。
【００２２】
Ｗ／Ｏマイクロエマルション型洗浄剤は、Ｗ／Ｏマイクロエマルションを形成するものであれば、洗浄剤中の水分量は問わないが、Ｗ／Ｏマイクロエマルション型洗浄剤中の水分量は、１質量％以上５０質量％未満であることが好ましい。Ｗ／Ｏマイクロエマルション型洗浄剤中の水分量は、１質量％〜５０質量％である限り、以下で説明する本発明の方法により管理が可能である。Ｗ／Ｏマイクロエマルション型洗浄剤の水分量は、使用により各種汚れ成分が持ち込まれた後においても、１質量％〜５０質量％の範囲であることが好ましい。本発明の管理方法が適用されるＷ／Ｏマイクロエマルション型洗浄剤の水分量は、１質量％〜２０質量％であるものが好ましく適用され、１質量％〜１５質量％がより好ましく、１質量％〜１０質量％が特に好ましく適用される。
【００２３】
Ｗ／Ｏマイクロエマルション型洗浄剤に使用する溶剤の２５℃における導電率は、０．００１μＳ／ｃｍ未満が好ましく、０．０００１μＳ／ｃｍ未満がより好ましい。溶剤の２５℃における導電率が０．００１μＳ／ｃｍ以上であると、Ｗ／Ｏマイクロエマルション型洗浄剤の２５℃における導電率との差が小さくなり、Ｗ／Ｏマイクロエマルション型洗浄液に各種の汚れ物質が混入したときの水の状態の判定が難しくなる。ここで、導電率は任意の温度で測定した値を２５℃の値に換算したものでもよい。
【００２４】
Ｗ／Ｏマイクロエマルション型洗浄剤に使用される溶剤としては、たとえば、脂肪族炭化水素、芳香族炭化水素、テルペンなど工業用洗浄剤の基材として使用されている有機溶剤から目的に応じて適宜選択することができ、例えば、ノルマルオクタン、ノルマルノナン、ノルマルデカン、ノルマルウンデカン、ノルマルドデカン、イソオクタン、イソノナン、イソデカン、イソウンデカン、イソドデカン、メチルシクロヘキサン、インデン、インダン、デカリン、テトラリン、炭素数８〜１８のオレフィン、アルキルシクロペンタン、アルキルシクロヘキサン、アルキルベンゼン、炭素数１０〜１８のアルキルインデン、アルキルインダン、炭素数１１〜１８のアルキルデカリン、アルキルテトラリン、アルキルナフタレン、ミルセン、セレン、オシメン、ピネン、リモネン、カンフェン、テルピノーレン、トリシクレン、テルピネン、フェンチェン、フェランドレン、シルベストレン、サピアン、ｐ−メンテン−１、ｐ−メンテン−３、ｐ−サイメン、ｐ−メンタン、ナフサ、ケロシンなどが挙げられる。これらを１種単独で使用してもよいし、２種以上を併用してもよい。また、Ｗ／Ｏマイクロエマルションを安定して形成できれば、その他の溶剤を配合して使用してもよい。
【００２５】
Ｗ／Ｏマイクロエマルション型洗浄剤に使用される界面活性剤としては、アニオン性界面活性剤、カチオン性界面活性剤、両イオン性界面活性剤、非イオン性界面活性剤の中から目的に応じて適宜選択することができ、例えば、脂肪酸モノカルボン酸塩、Ｎ−アシロイルグルタミン酸塩、アルキルベンゼンスルホン酸塩、α−オレフィンスルホン酸塩、ナフタレンスルホン酸塩−ホルムアルデヒド縮合物、スルホこはく酸ジアルキルエステル、硫酸アルキル塩、硫酸アルキルポリオキシエチレン塩、リン酸アルキル塩、アルキルアミン塩、アルキルトリメチルアンモニウム塩、ジアルキルジメチルアンモニウム塩、アルキルジメチルベンジルアンモニウム塩、Ｎ，Ｎ−ジメチル−Ｎ−アルキルアミノ酢酸ベタイン、２−アルキル−１−ヒドロキシエチル−１−カルボキシメチルイミダゾリニウムベタイン、グリセリン脂肪酸エステル、ソルビタン脂肪酸エステル、ショ糖脂肪酸エステル、ポリオキシエチレンアルキルフェニルエーテル、ポリオキシエチレンアルキルエーテル、ポリオキシエチレンポリオキシプロピレンブロックコポリマー、ポリエチレングリコール脂肪酸エステル、ポリオキシエチレンソルビタン脂肪酸エステル、脂肪酸アルカノールアミド等の界面活性剤が挙げられる。これらを１種単独で使用してもよいし、２種以上を併用してもよい。Ｗ／Ｏマイクロエマルション型洗浄剤中の界面活性剤の配合量は、Ｗ／Ｏマイクロエマルションを形成するものであれば制限されるものではないが、２０質量％以下であることが好ましい。
【００２６】
本実施の形態において、Ｗ／Ｏマイクロエマルション型洗浄剤の管理は、未使用のＷ／Ｏマイクロエマルション型洗浄剤の２５℃における導電率と、使用中のＷ／Ｏマイクロエマルション型洗浄剤（Ａ）の２５℃における導電率の相対比（以下、「相対導電率」という）Ｒにて行う。以下に、相対導電率Ｒの計算式（１）を示す。
Ｒ＝［使用中のＷ／Ｏマイクロエマルション型洗浄剤の２５℃における導電率］÷［未使用のＷ／Ｏマイクロエマルション型洗浄剤の２５℃における導電率］・・・式（１）
【００２７】
Ｒが０．３０以上である場合、Ｗ／Ｏマイクロエマルション型洗浄剤中の水が可溶化状態であり、洗浄可能と評価される。Ｒが０．３０未満では、Ｗ／Ｏマイクロエマルション型洗浄剤は、水が層分離を起こしているために洗浄不良を起こす可能性がある。Ｗ／Ｏマイクロエマルション型洗浄剤にソリューション型水溶性切削油のみが持ち込まれた場合、導電率は極大値を持つが（図１参照）、他の非水溶性切削油、エマルション型水溶性切削油やソリュブル型水溶性切削油とともに混入する場合、導電率は、非水溶性切削油とソリューション型水溶性切削油の中間の性質を備えたエマルション型水溶性切削油が添加された場合と類似の挙動を示すため、Ｗ／Ｏマイクロエマルション型洗浄剤の相対導電率Ｒが０．３０以上となるよう管理すればよい。なお、汚れ成分としてソリューション型水溶性切削油のみ洗浄する場合、相対導電率Ｒが５０を超える場合がある。相対導電率Ｒが５０を超える場合、洗浄剤は乳化状態にあり洗浄不良を起こす可能性がある。したがって、汚れ成分としてソリューション型水溶性切削油を単独で洗浄する場合は、Ｗ／Ｏマイクロエマルション型洗浄剤中の相対導電率Ｒが０．３０以上５０以下、好ましくは、０．３０以上３０以下で使用することが好ましい。
【００２８】
Ｗ／Ｏマイクロエマルション型洗浄剤において、水が可溶化された状態を維持できなくなった時に洗浄力が低下し始め、水が層分離すると汚れの除去が困難となる。本発明では、Ｗ／Ｏマイクロエマルション型洗浄剤中に水が可溶化されているか否かを簡易、かつ正確に監視することができるため、水が可溶化された状態を維持できなくなる兆候が認められれば、Ｗ／Ｏマイクロエマルション型洗浄剤の交換や補充により、洗浄不良を防止することができる。
【００２９】
上記したＷ／Ｏマイクロエマルション型洗浄剤の市販品としては、例えば、“ＮＳクリーン”（登録商標）１００Ｍ、２２０Ｍ（ＪＸ日鉱日石エネルギー（株））が例示される。
【００３０】
また、本発明にかかるＷ／Ｏマイクロエマルション型洗浄剤には、水を実質的に含まないが、汚れ成分由来の水分を洗浄剤中に混和し、Ｗ／Ｏマイクロエマルションを形成、すなわち、洗浄剤中に水を可溶化可能な洗浄剤も含まれる。
【００３１】
水を実質的に含まないが、汚れ成分由来の水分を洗浄剤中に可溶化可能な洗浄剤としては、溶剤と界面活性剤から主としてなる洗浄剤が例示される。かかる洗浄剤で使用する溶剤と界面活性剤は、Ｗ／Ｏマイクロエマルション型洗浄剤で使用する溶剤と界面活性剤と同様のものを使用することができる。
【００３２】
汚れ成分由来の水分を洗浄剤中に可溶化可能な洗浄剤の市販品としては、例えば、“ＮＳクリーン”（登録商標）１００Ｗ、２２０Ｗ（ＪＸ日鉱日石エネルギー（株））が例示される。
【００３３】
また、本発明の実施の形態にかかるＷ／Ｏマイクロエマルション型洗浄剤には、上記した成分から主としてなるものであれば、各種の添加剤などを含有しても良い。なお、本明細書において、「主としてなる」とは、Ｗ／Ｏマイクロエマルション型洗浄剤中の例示した成分の割合が、９０．０質量％以上であることを意味する。
【００３４】
添加剤としては、防錆剤、酸化防止剤、防腐剤、キレート剤、アルカリ剤、漂白剤、着臭剤等が挙げられる。防錆剤は、例えば、ペンタエリスリトールモノエステル、ソルビタンモノオレート等の脂肪酸エステル系防錆剤、アミン、アミン塩等のアミン系防錆剤、芳香族カルボン酸、アルケニルコハク酸、ナフテン酸塩等のカルボン酸系防錆剤、石油スルホネート等の有機スルホン酸系防錆剤、有機リン酸エステル系防錆剤、酸化パラフィン系防錆剤等が例示される。
【００３５】
Ｗ／Ｏマイクロエマルション型洗浄剤の導電率の測定は、温度補償機能を有していれば、市販のいずれの導電率計や電導度計も使用可能である。また、導電率は体積抵抗率の逆数であるため、体積抵抗率計も使用可能である。本明細書においては、ハンディ導電率計ＨＥＣ−１１０型（東亜化学計測（株）製）を使用したが、これに限定されるものではない。
【００３６】
本発明にかかるＷ／Ｏマイクロエマルション型洗浄剤の管理方法は、各種の導電率計を用いて相対導電率を算出し、マニュアルで使用可能か判定してもよいが、図２に示すような管理装置により管理することも可能である。図２は、本発明の実施の形態にかかるＷ／Ｏマイクロエマルション型洗浄剤の管理装置１０の概略をブロック図に示したものである。図２に示すように、管理装置１０は、Ｗ／Ｏマイクロエマルション型洗浄剤の導電率を測定する導電率測定部１と、未使用のＷ／Ｏマイクロエマルション型洗浄剤の導電率を記憶し、導電率測定部１が測定した導電率を使用し、上記式（１）に基づき相対導電率Ｒを算出する算出部２と、算出部２が算出した相対導電率Ｒが０．３０未満であるか否かを判定する判定部３と、判定部３により相対導電率が０．３０未満であると判定された場合、Ｗ／Ｏマイクロエマルション型洗浄剤を補充、または交換するように出力する出力部４と、各部を制御する制御部５とを備える。
【００３７】
また、洗浄装置のライン上に管理装置１０を取り付けることにより、判定部３により相対導電率が０．３０未満と判定された場合には、洗浄装置に接続された洗浄液供給ラインからＷ／Ｏマイクロエマルション型洗浄剤を洗浄装置に自動的に供給することもできる。
【００３８】
さらに、洗浄装置のライン上に管理装置１０に加え水分測定装置を取り付けて、Ｗ／Ｏマイクロエマルション型洗浄剤中の水分量と水の状態を同時に監視してもよい。Ｗ／Ｏマイクロエマルション型洗浄剤中に多量の水が持ち込まれると、相対導電率Ｒが０．３０未満となる場合がある。Ｗ／Ｏマイクロエマルション型洗浄剤中への多量の水の持ち込みにより、相対導電率Ｒが０．３０未満となる場合、Ｗ／Ｏマイクロエマルション型洗浄剤を加熱したり、超音波照射することによってＷ／Ｏマイクロエマルション型洗浄剤中の水分量を低減することで、正常な状態（洗浄可能な状態）に戻すことができる。Ｗ／Ｏマイクロエマルション型洗浄剤中の水分量と水の状態を管理装置１０と水分測定装置により監視し、相対導電率Ｒが０．３０未満、かつ水分量が２０質量％を超える場合は、Ｗ／Ｏマイクロエマルション型洗浄剤を加熱または超音波照射し、水分量を１０質量％程度まで低減することによって、相対導電率Ｒが０．３０以上の正常な状態に戻すことができる。水分量を１０質量％以下としても相対導電率が０．３０以上とならない場合には、Ｗ／Ｏマイクロエマルション型洗浄剤の洗浄力が低下していると判断され、使用中のＷ／Ｏマイクロエマルション型洗浄剤を新しい液に交換することが望ましい。
【実施例】
【００３９】
以下に実施例により本発明の実施態様を例示するが、本発明はそれらの実施例に限定されるものではない。
【００４０】
（実施例）
導電率が３×１０−１１μＳ／ｃｍである脂肪族炭化水素に界面活性剤と水（３質量％）とを配合したＷ／Ｏマイクロエマルション型洗浄剤である“ＮＳクリーン”（登録商標）１００Ｍ（ＪＸ日鉱日石エネルギー（株）製、試料Ｎｏ．１）に、表１に示す各種汚れ成分を添加した試料（Ｎｏ．２〜Ｎｏ．２２）を調製し、超音波（２８ｋＨｚ）を５分間照射して一昼夜静置した後の上澄み液の２５℃における導電率を測定した。導電率は、ハンディ導電率計ＨＥＣ−１１０型（東亜化学計測（株）製）にて測定した。表１には、導電率を測定した液の外観、墨汁テストの結果も併記した。ここで、墨汁テストとは、Ｗ／Ｏマイクロエマルション型洗浄剤中に添加した墨汁（微粒子）の分散性を調べることによって、Ｗ／Ｏマイクロエマルション型洗浄剤中の水の可溶化の状態を簡易に評価することができる試験法である。墨汁テストは、約７０ｇの試料に対して一滴の墨汁を加えて手で振り混ぜ、１分間静置後の墨汁の分散性を評価する。墨汁が試料全体に分散していれば〇、墨汁が沈降していれば×とした。総合評価は、墨汁テストおよび液の外観に基づく評価である。総合評価の○は洗浄可能、×は洗浄不可である。
【００４１】
【表１】
0006399888.tif 000002
【００４２】
汚れ成分として非水溶性加工油であるスーパーマルパスＤＸ１５０を使用した場合、Ｗ／Ｏマイクロエマルション型洗浄剤中の汚れ成分量が４０質量％以上であるＮｏ．６〜Ｎｏ．９で相対導電率が０．３０未満となった。Ｎｏ．６〜Ｎｏ．９では、墨汁テストは○となったが、液は不透明または層分離しているため、総合評価は×である。
【００４３】
汚れ成分としてエマルション型水溶性加工油であるユニソルブルＥＭを使用した場合、Ｗ／Ｏマイクロエマルション型洗浄剤中の汚れ成分量が８０質量％であるＮｏ．１８で相対導電率が０．３０未満となった。Ｎｏ．１８の墨汁テストは○であるが、液は不透明であった。Ｎｏ．１８では、汚れ成分の混入により粘性が高くなり、１分以内に墨汁が沈降しなかったため、墨汁テストが○となったと考えられる。Ｎｏ．１８の総合評価は×である。
【００４４】
汚れ成分としてソリューション型水溶性加工油であるユニソルブルＣＳを使用した場合、Ｗ／Ｏマイクロエマルション型洗浄剤中の汚れ成分量が１０質量％以上であるＮｏ．２０〜Ｎｏ.２２で相対導電率が０．３０未満となった。Ｎｏ．２０〜２２の墨汁テストは×であり、層分離した。Ｎｏ．２０〜２２の総合評価は×である。
【００４５】
以上の結果より、相対導電率Ｒが０．３０以上で総合評価○となり、相対導電率Ｒにより、汚れの種類と量、そして、粘性に影響されることなく、Ｗ／Ｏマイクロエマルション型洗浄剤中の水の状態を簡易に管理できることが示された。なお、Ｗ／Ｏマイクロエマルション型洗浄剤中に汚れとして研磨剤が混入した場合であっても、導電率は変化しないことが確認された。これにより、Ｗ／Ｏマイクロエマルション型洗浄剤中に汚れとして研磨剤が混入する場合にも、相対導電率Ｒを管理するだけでＷ／Ｏマイクロエマルション型洗浄剤を管理することができる。
【００４６】
（比較例１）
実施例１の試料（Ｎｏ．１〜Ｎｏ．２６）の上澄み液の２５℃における濁度と２０℃における屈折率を測定した。濁度は携帯用濁度計２１００Ｐ型（セントラル科学（株）製）にて測定した。屈折率は自動屈折計ＲＸ−５０００α（アタゴ（株）製）にて測定した。表２には、前述の墨汁テスト、液の外観、総合評価も併記した。
【００４７】
【表２】
0006399888.tif 000003
【００４８】
Ｗ／Ｏマイクロエマルション型洗浄剤中への汚れの混入量が増えるにつれ濁度は上昇する。Ｎｏ．２０〜２２では、汚れの混入量が増えても濁度は増加せず、逆に低下しているが、これは懸濁物が沈降しているためであり、超音波照射後ただちに測定すれば濁度は高くなる。
【００４９】
一方、屈折率は、Ｗ／Ｏマイクロエマルション型洗浄剤中へ持ち込まれる汚れの種類により、汚れの混入量に伴い上昇、または下降する。濁度および屈折率とも、Ｗ／Ｏマイクロエマルション型洗浄剤中の水が可溶化されているか否かを判定することはできないことが確認された。
【産業上の利用可能性】
【００５０】
以上のように、本発明にかかるＷ／Ｏマイクロエマルション型洗浄剤の管理方法および管理装置は、汚れ成分の持ち込みによって洗浄性能が変動するＷ／Ｏマイクロエマルション型洗浄剤の管理に適している。
【図１】
0006399888.tif 000004
【図２】
0006399888.tif 000005